(57)【特許請求の範囲】
【請求項１】
表示画面が水平に配置され、複数のウインドウを１つの表示画面に表示する情報処理装置の表示方法において、
前記表示画面に表示するウインドウの数を指定する操作を受け付け、
前記受け付けたウインドウの数に基づいて、予め設定された位置に、予め設定された表示方向で前記ウインドウを表示し、
前記ウインドウの表示方向を変更するための表示方向指示マークを前記各ウインドウに設け、この表示方向指示マークを介して、このウインドウに関する表示方向の変更操作を受け付け、
前記受け付けたウインドウの表示方向の変更に基づいて、このウインドウの表示方向を変更し、
前記ウインドウの数と表示方向を決定する操作を受け付け、
前記決定する操作に基づいて、前記各ウインドウに独立して操作可能なメニュー画面を表示し、この個々のメニュー画面での操作指示に基づいて、それぞれのウインドウに前記操作指示に対応した画像情報と操作ガイダンスを表示するとともに、当該個々のメニュー画面での操作指示に基づいてそれぞれのウインドウに対応したそれぞれの入力操作を受け付ける
ことを特徴とする情報処理装置の表示方法。
【請求項２】
前記請求の範囲１記載の情報処理装置の表示方法において、
前記ウインドウの数を指定する操作は、リモコンを介して行われる
ことを特徴とする情報処理装置の表示方法。
【請求項３】
前記請求の範囲１または２記載の情報処理装置の表示方法において、
前記表示画面は、その表面にタッチパネルを備え、
前記ウインドウの位置を変更するための移動マークを前記各ウインドウに表示し、
前記移動マークを所定位置に変更する操作を受け付け、この操作に基づいて前記ウインドウを所定位置に変更する
ことを特徴とする情報処理装置の表示方法。
【請求項４】
その表面にタッチパネルを備えた表示画面が水平に配置され、映像処理装置で処理された映像を複数のウインドウに表示する前記表示画面を備えた情報処理装置の表示方法において、
前記表示画面に表示するウインドウの数と各ウインドウの表示方向を指示するメニューウインドウを表示し、
前記メニューウインドウを介して、ウインドウの数と各ウインドウの表示方向を指示する操作と、前記ウインドウの数と表示方向を決定する操作を受け付け、
前記決定する操作がされた前記ウインドウの数と各ウインドウの表示方向に基づいて、１つの表示画面内に前記ウインドウを表示し、
当該ウインドウに、独立して操作可能なメニュー画面を表示し、この個々のメニュー画面での操作指示に基づいて、それぞれのウインドウに前記操作指示に対応した画像情報と操作ガイダンスを表示するとともに、当該個々のメニュー画面での操作指示に基づいてそれぞれのウインドウに対応したそれぞれの入力操作を受け付ける
ことを特徴とする情報処理装置の表示方法。
【請求項５】
前記請求の範囲４記載の情報処理装置の表示方法において、
前記表示画面の周囲には、前記メニューウインドウの表示を受け付ける複数の操作部が配置され、前記メニューウインドウの表示を、操作を受け付けた前記操作部に対応する位置に表示する
ことを特徴とする情報処理装置の表示方法。
【請求項６】
前記請求の範囲５記載の情報処理装置の表示方法において、
前記メニューウインドウには、前記各ウインドウについて細分割する指示手段が表示され、この指示手段の操作を受け付けることで、該当するウインドウの細分割を行う
ことを特徴とする情報処理装置の表示方法。
【請求項７】
前記請求の範囲６記載の情報処理装置の表示方法において、
さらに細分割された画面の表示方向の指示に基づき指示された細分割の表示方向が決められる
ことを特徴とする情報処理装置の表示方法。
【請求項８】
筐体の上面に配置される表示装置と、前記表示装置の表面に配置されるタッチパネルと、前記表示装置で表示する映像を処理する映像処理装置と、前記表示装置および前記映像処理装置への電源供給を操作するために前記筐体に設けられた電源スイッチと、前記筐体と分離して設けられる遠隔操作装置とを備えた情報処理装置において、
前記映像処理装置は、
前記表示装置に表示するウインドウの数を前記遠隔操作装置を介して受け付けて、予め設定された位置に、予め設定された表示方向で前記ウインドウを表示し、
前記ウインドウの表示方向を変更するための表示方向指示マークを前記各ウインドウに設け、この表示方向指示マークの操作を前記タッチパネルを介して受け付けて、このウインドウの表示方向の変更操作を受け付け、
前記受け付けたウインドウの表示方向の変更に基づいて、このウインドウの表示方向を変更し、
前記ウインドウの数と表示方向とを決定する操作を前記タッチパネルを介して受け付け、
前記決定する操作に基づいて、前記各ウインドウに独立して操作可能なメニュー画面を表示し、この個々のメニュー画面での操作指示に基づいて、それぞれのウインドウに前記操作指示に対応した画像情報と操作ガイダンスを表示するとともに、当該個々のメニュー画面での操作指示に基づいてそれぞれのウインドウに対応したそれぞれの入力操作を前記タッチパネルを介して受け付ける
ことを特徴とする情報処理装置。
【請求項９】
テーブルの上面に配置される表示装置と、前記表示装置の表面に配置されるタッチパネルと、前記表示装置で表示する映像を処理する映像処理装置と、前記表示装置および前記映像処理装置への電源供給を操作するために前記テーブルに設けられた電源スイッチと、前記表示装置の周囲のテーブル面に配置される操作スイッチとを備えた情報処理装置において、
前記映像処理装置は、
前記表示装置に表示するウインドウの数を前記操作スイッチを介して受け付けて、予め設定された位置にメニューウインドウを表示し、
前記メニューウインドウからウインドウの数と各ウインドウの表示方向を指定する操作を前記タッチパネルを介して受け付けて、１つの表示画面内に前記ウインドウを表示し、
前記ウインドウの数と表示方向の決定する操作を前記タッチパネルを介して受け付け、
前記決定する操作に基づいて、前記各ウインドウに独立して操作可能なメニュー画面を表示し、この個々のメニュー画面での操作指示に基づいて、それぞれのウインドウに前記操作指示に対応した画像情報と操作ガイダンスを表示するとともに、当該個々のメニュー画面での操作指示に基づいてそれぞれのウインドウに対応したそれぞれの入力操作を前記タッチパネルを介して受け付ける
ことを特徴とする情報処理装置。
【発明の詳細な説明】
技術分野
本発明は、コンピュータなどの情報処理装置および情報端末装置や、家庭用のテレビおよびＶＴＲなどのＡＶ機器に用いられる表示装置とその操作方法に関するものである。
背景技術
コンピュータなどの情報端末装置は小型化が進み、他の場所に持ち運んで使用することができるようになってきた。上記情報端末装置の小型化と共に、情報を映しだす表示装置は、直視型のブラウン管による表示装置では装置が大型なものとなり、また、その重量が重くなるために、薄型で軽量で低電力である液晶ディスプレイへと移行され、可搬性に優れた情報端末装置が提供されている。
さらに、ＡＶ機器や電話回線などのデジタル化が進み、上記情報端末装置などの表示装置に映しだす情報は、コンピュータからの文字情報の他に、テレビやＶＴＲや電子カメラやテレビ電話などからの映像情報といったようなマルチメディア化されている。（以下、文字情報と映像情報を総称して画像情報２０として説明する。）
情報のマルチメディア化に伴い、表示装置は大画面化やマルチ画面化が要求されており、近年では表示装置が薄型、軽量、低電力である液晶ディスプレイが一層脚光を浴びている。
一方で、液晶ディスプレイは、画面寸法（画面対角寸法）が最大でも２１インチ程度であったり、視野角（表示装置の正面から見た画像と略同じ画像が見える範囲）が狭いなどの問題があった。
しかしながら、視野角の問題は、ガラス基板に対して水平方向の横電界で液晶分子を動かすことで、広高視野角が実現されている。また、大画面化に関しては、プラズマ発光と蛍光体を利用したプラズマ・ディスプレイ・パネルにより解決されている。
このことにより、液晶ディスプレイやプラズマ・ディスプレイ・パネルをテーブルや床などの設置面と水平にして使用しても、高精細な画面情報を提供することが可能になってきた。
また、家庭用のテレビにおいても、マルチ画面を提供する商品が提供されている。さらに、コンピュータなどの情報端末装置は、単一画面上に複数のウインドウを同時に開き、それぞれのウインドウに様々な情報を表示させる端末装置も提供されている。
このような状況において、上記従来の端末装置は、個人的な使用から複数の人が上記端末装置から提供される情報を共有化して使用する、例えば、商談とか異なる場所同士で行う電子会議や、同一場所で行う会議などでの使用が可能な表示装置が望まれている。
しかしながら、これら従来の表示装置は、画面のマルチ化が主な目的であり、単一の表示画面を複数の人が見る場合に上記表示画面を一方向から見るように提供されており、複数の人が正対して使用する場合には不都合であった。
そこで、上記単一の表示装置に表示された画像情報の天地を反転させて表示する方法や、複数の表示装置を用いて、それぞれの画面を使用者が正対できるように画像情報の表示方向を制御して表示させる方法が考えられている。
このような画像情報の反転に関する方法として、日本国特許公開番号平成４年３２６１５２号や日本国特許公開番号平成７年１７５４４４号において提案されている。
上記単一の表示画面に表示された画像情報を反転させる方法では、同時に複数の人に対して適した角度を提供することができないので、見る人にあわせてその都度、画像情報を反転させなければならず、操作が煩雑であった。
また、上記複数の表示画面を用いて解決する方法では、複数の表示画面と複数の記憶回路を必要とし、表示装置が大型化となり薄型、軽量、低電力などの観点から問題であった。
従って、本発明の目的とするところは、液晶ディスプレイやプラズマ・ディスプレイ・パネルで実現可能な、薄型軽量な表示装置を利用して、平置き型の表示装置を囲むように複数の人使用うさせるように構成し、単一の表示画面に複数の画像情報を表示させ、複数の画像情報により複数の人に適した画像情報を表示する表示装置を提供することにある。
また、他の本発明の目的とするところは、一人の使用者が表示装置を独占することがないように、単一の表示画面に複数の画像情報を表示させ、使用する人数にあわせた画面分割が可能な操作手順を提供することにある。
発明の開示
本発明は、平置き型の表示装置の表示画面に複数の画像情報画面を表示させ、表示された各画像情報画面は、表示画面の周囲に位置した使用者に正対する向きとなるように構成してある。
また、予め、画像情報画面の分割と画像情報画面の向きとを設定可能に構成し、一旦表示させた後においても画像情報画面の移動が可能なように構成してある。
このために、表示装置を使用する人が複数人いても、表示装置を複数個準備することなく、単一の表示装置の表示画面を使用する人数にあわせて分割して使用させることができる。
また、平置き型の表示装置で外部から画像情報の提供を受けて、表示画面に複数の画像情報画面を表示させる方法として、メニュー画面を構成させ、画像情報画面の分割数や表示させる画像情報画面の向きを設定可能に構成し、さらに入力された画像情報の選択が可能なように構成してある。
このために、使用者の人数に変化を生じたときに、画像情報画面の分割を容易に変更することができるので、常に、使用者の人数にあわせた最適な大きさの画像情報画面を提供することができる。
さらには、複数の画像情報画面に多数の画像情報を表示することができるので、一度に多数の情報を確認したり、自分の画像情報を他の使用者が正対できるように向きを変えて提示し、情報の共有化ができる。
また、表示装置に画像情報画面を表示させる指示と画像情報画面を分割する指示とを有する操作手段を複数構成してあるので、使用者が一人の時には表示画面を独占し、人数の変化に伴い、表示画面を使用者の人数にあわせて分割できるので、単一の表示装置を複数の使用者が利用することができる。
また、画像情報画面に入力画像情報の種類を選択する操作手段と画像情報画面の移動を指示する操作手段を構成してあるので、変更を必要とする画像情報画面を直接指示することになり、操作の誤りが防止でき、かつ、速やかに変更することができる。
【図面の簡単な説明】
第１図は本発明の第１の実施例に係わる表示装置の斜視図であり、第２図は第１図で示した実施例の筐体の断面図であり、第３図は第１図で示した実施例のリモートコントローラの正面図であり、第４図は本発明の第１の実施例に係わる表示装置の機能構成図であり、第５図は第１図に示した実施例の操作を示すフローチャートであり、第６図（ａ）、（ｂ）、（ｃ）は、第５図で示した動作における表示画面と顧客の着席状態を示す一具体例であり、第７図は第５図で示した動作における表示画像情報の一具体例であり、第８図は本発明の第２の実施例に係わる表示装置の斜視図であり、第９図は本発明の第２の実施例に係わる表示装置の機能構成図であり、第１０図は第８図に示した実施例の操作を示すフローチャートであり、第１１図は第１０図で示した電源を投入したときの表示画面の状態を示す一具体例であり、第１２図は第１０図で示した画面分割メニューを選択したときの表示画面の状態を示す一具体例であり、第１３図は第１０図で示した画面分割数画面を表示した状態を示す一具体例であり、第１４（ａ）図は第１０図で示した画面分割数画面を示す一具体例であり、第１４（ｂ）図は第１０図で示した分割レイアウト画面を示す一具体例であり、第１５図は画面分割数と分割レイアウトを示す一具体例であり、第１６図は第８図に示した実施例の入力映像の変更の操作を示すフローチャートであり、第１７図は第１６図で示した入力選択画面を示す一具体例であり、第１８図は第１６図で示した入力映像の変更の操作を行った状態を示す一具体例であり、第１９図は第８図に示した実施例の表示の向きの変更の操作を示すフローチャートであり、第２０図は第１９図で示した表示の向きの変更選択画面を示す一具体例であり、第２１図は第１９図で示した表示の向きの変更の操作を行った状態を示す一具体例であり、第２２図は、第８図に示した実施例の細分割をするの操作を示すフローチャートであり、第２３図は、第２２図で示した画面細分割選択画面を示す一具体例であり、第２４図は第２２図で示した細分割の数と分割レイアウトを示す一具体例であり、第２５図は、第２２図で示した細分割の操作を行った状態を示す一具体例であり、第２６図は細分割画面での入力映像の２５変更選択画面であり、図第２７図は細分割画面での画面表示変更選択画面であり、第２８図は本発明の第３の実施例に係わる表示装置の斜視図であり、第２９図は本発明の第３の実施例に係わる表示装置の機能構成図であり、第３０図は第２８図に示した実施例の操作を示すフローチャートであり、第３１図は一人で操作を行う状態を示した一具体例であり、第３２図は二人で操作を行う状態を示した一具体例であり、第３３図は三人および四人で操作を行う状態を示した一具体例であり、第３４図は一人で操作した状態の画面分割と画像情報の向きを示した一具体例であり、第３５図は二人で操作した状態の画面分割と画像情報の向きを示した一具体例であり、第３６図は三人で操作した状態の画面分割と画像情報の向きを示した一具体例であり、第３７図は四人で操作した状態の画面分割と画像情報の向きを示した一具体例であり、第３８図は五人で操作した状態の画面分割と画像情報の向きを示した一具体例であり、第３９図は六人で操作した状態の画面分割と画像情報の向きを示した一具体例であり、第４０図は本発明の第４の実施例に係わる表示装置の斜視図であり、第４１図は、本発明の第４の実施例に係わる表示装置の機能構成図であり、第４２図は第４０図に示した実施例の操作を示すフローチャートであり、第４３図は、表示画面に表示される画像情報の詳細図、第４４図は、第４２図における電源入りから画像情報の縮小までの操作にともなう画像情報画面を示した一具体例であり、第４５図は、第４２図における画像情報の回転から新規画像情報画面を開くまでの操作にともなう２５画像情報を示した一具体例、第４６図は、第４２図における他の画像情報画面を示した一具体的である。
発明を実施するための最良の形態
本発明をより詳細に説述するために、添付の図面に従ってこれを説明する。
第１図は、本発明の第１の実施例に係わる表示装置の斜視図である。また、第２図は、第１図で示した実施例の筐体の断面図、第３図は、第１図で示した実施例のリモートコントローラの正面図、第４図は、本発明の第１の実施例に係わる表示装置の機能構成図である。
第１図から第４図において、本発明の第１の実施例に係わる表示装置は、筐体１と筐体１を支える脚３ａ〜ｄとから構成されている。上記筐体１は、表示画面２が露出するように上面部に開口部を有している。
また、筐体１の側方には、電源スイッチ４とリモコン受光部５とリモコンポケット６とが構成されている。
表示画面２は、タッチセンサー１０と強化プラスチックや強化ガラスなどから構成された保護用透明板１１とプラズマ・ディスプレイ・パネル１４とメイン基板１５とから構成され、タッチセンサー１０以外は筐体１に内蔵されるように構成されている。
プラズマ・ディスプレイ・パネル１４は、図示しない偏光フィルタとフロントプレートと透明電極と液晶と隔壁と蛍光体と誘電体層とデータ電極とバックライトとから構成されている。
また、プラズマ・ディスプレイ・パネル１４は、表示範囲ａの領域で画像情報を提供するものであり、表示範囲ａを除く周囲はマスキング１２が設けられており、タッチセンサー１０と保護用透明板１１とマスキング１２と筐体１との間には、ゴムやシリコン樹脂からなるシール材１３を構成している。
なお、保護用透明板１１を構成したことにより、表示画面２に食器や灰皿やテーブル飾りなどを直接置いたときにも、プラズマ・ディスプレイ・パネル１４を傷つけることがなく、また、シール材１３を構成したことにより、筐体１内部に水や料理の食べ溢しや埃や塵などが侵入することが防止できる。
筐体１には表示装置２の他に、メニューシステム３０と図示しない電源ユニットとがさらに構成されている。
メニューシステム３０は、入力装置であるタッチセンサー１０や後述するリモートコントローラ７からの指示を受け、動作の制御を行う制御部３３と表示画面２に表示する画像情報のデータが格納された内部記録装置３１と制御部３３からの制御情報を外部に伝える通信装置３４とから構成されている。
さらに、筐体１とは別に、発光部２０と電源ボタン２１と顧客の人数を指定し画面の分割や表示画面２に表示する画像情報の向きを指示する人数ボタン２２〜２５と、人数ボタン２２〜２５で入力した指示を取消すための取消しボタン２６と、表示画面〜の状態を決定する決定ボタン２７とから構成されたリモートコントローラ７を構成している。
さらにまた、調理場などに顧客の注文状況を知らせるために、筐体１と回線やケーブルなどで接続されている注文システム３５が構成されている。
なお、この実施例では、筐体１にメニューシステム３０を内蔵しているとして説明したが、メニューシステム３０を筐体１から分離して構成しても良く、この場合には、筐体１が内蔵する構成部品が少なくすることができるので、薄型で軽量な表示装置を顧客に提供することができる。
また、筐体１には脚３ａ〜ｄを構成していると説明したが、本発明はこれにこだわるものではなく、脚３ａ〜ｄを構成せずに筐体１のみとしてテーブルなどに載置しても良い。
以上、この実施例の概略を説明したが、次に、この実施例の動作を詳細に説明する。
第５図は、第１図に示した実施例の操作を示すフローチャートである。また、第６図（ａ）、（ｂ）、（ｃ）は、第５図で示した動作における表示画面と顧客の着席状態を示す一具体例であり、第７図は、第５図で示した動作における表示画像情報の一具体例である。
第５図から第７図において、先ず最初に、電源スイッチ４により電源を投入し（ステップ１００）顧客の来店を待つ。顧客が来店したときに、リモコンポケット６に収納されているリモートコントローラ７を取り出し、リモコン受光部５に向けて電源ボタン２１を押し表示画面２に電源を投入する（ステップ１０１）。
なお、筐体１に構成されている電源スイッチ４は、プラズマ・ディスプレイ・パネル１４に予熱を提供するものであり、プラズマ・ディスプレイ・パネル１４が直ちに良好な状態で画像情報を提供するためである。電源ボタン２１はプラズマ・ディスプレイ・パネル１４の主電源の役割を有しており、電源スイッチ４と電源ボタン２１とを構成したことにより、必要以上の電力を消費することがないので、電力の無駄使いが防止でき経済的である。
この状態で、速やかに顧客５０の人数を把握して、顧客人数と符合する人数ボタン２２〜２５を選択して押すと（ステップ１０２）、表示画面２に選択した人数と適合した数のメニュー画面４０を着席した顧客５０に正対するような向きに表示する（ステップ１０３）。
なお、第６図では、来店された顧客５０の人数は３人であり、人数ボタン２４で入力された状態のステップ１０３を示しており、顧客５０ａと顧客５０ｂは向い合って着席し、顧客５０ｃは顧客５０ｂの隣に着席している。第６図（ａ）で示す表示配置は、標準的な配置として人数ボタン２４を押すと、内部記録装置３１に記録されている画像情報から、指示された画像情報が自動的に表示される。
この場合、顧客５０ａに提供されるメニュー画面４０ａの向きは、顧客５０ａに正対する向きである顧客５０ａ側が下側となるように配置されて表示される。顧客５０ｂ、ｃに提供されるメニュー画面４０ｂ、ｃも同様に表示される。
なお、図示しないが、人数ボタン２５で入力された場合には、顧客５０ａ、ｂ、ｃ以外の顧客に対して提供するメニュー画面４０は、顧客５０ａの隣の余白部分に、メニュー画面４０ａと同じ向きに自動的に提供される。
さらになお、図示しないが、人数ボタン２２で入力された場合には、メニュー画面４０ａのみが自動的に表示され、人数ボタン２３で入力された場合には、メニュー画面４０ａ、ｂのみが自動的に表示される。
ここで、来客の顧客人数の確認に誤りがあれば、取消しボタン２６で入力を取消し、改に正しい顧客人数ボタン２２〜２５を入力する。
次に、自動的に表示されたメニュー画面４０ａ、ｂ、ｃに対して顧客５０ａ、ｂ、ｃが正しく着席したかを確認する（ステップ１０４）。正しく着席されている場合には、決定ボタン２７でメニュー画面４０ａ、ｂ、ｃの配置を固定する（ステップ１０８）。
第６図（ｂ）は、顧客５０ｃが顧客５０ａ、ｂが着席した筐体１の辺と異なる箇所に着席した状態を示しており、自動的に表示したメニュー画面４０ｃに対して顧客５０ｃが異なる状態で着席していることになるので、メニュー画面４０ｃのメニューバー４３を指でドラックしてメニュー画面４０ｃを移動させて、正しい位置で指を離す（ステップ１０５）。
なお、メニューバー４３は指示可能な範囲を２本のバーで示しており、この範囲を指で指示することで操作が可能である。
次に、メニュー画面４０ｃの向きを変える必要があるかを確認する（ステップ１０６）、向きを変える必要があるときには回転バー４４ａ、ｂのどちらか片方を指などでドラックし、希望の方向にメニュー画面４０ｃを回転させて正しい位置で指などを離す（ステップ１０７）。回転バー４４ａ、ｂはどちらも同じ操作を指示できる。
第６図（ｃ）で示すように顧客５０ｃに対して、メニュー画面４０ｃが正しく正対していることを確認し、決定ボタン２７を押してメニュー画面４０ａ、ｂ、ｃの配置を固定する（ステップ１０８）。
また、ステップ１０６において、メニュー画面４０ｃを回転させる必要がない場合には、ステップ１０６を省略してステップ１０８の操作を行う。
なお、メニュー画面４０ａ、ｂにもメニューバー４３と回転バー４４ａ、ｂが構成されているので、メニュー画面４０ａ、ｂを移動および回転させる必要がある場合には、ステップ１０７〜ステップ１０８の操作で行うことができる。
ここまでの操作は店側、例えば、ウエイトレスやウエイターが操作するが、予約があるときには予めステップ１００〜ステップ１０８迄の作業を行っておいても良く、この場合には、顧客５０ａ、ｂ、ｃを速やかに着席させることができる。
従来では、顧客が来店すると印刷されたメニューを持ち、顧客を席に誘導し、上記メニューを顧客に提供し注文を受け、注文を受けた後は上記メニューを別の所に収納する作業があったが、この実施例によれば、上記メニューを持ち運ぶことがないので、ウエイトレスやウエイターは来店と同時に速やかに接客が可能であり、椅子を引くとかのサービスを速やかに提供することができる。
また、ステップ１００〜ステップ１０８迄の作業を店側が行うとして説明したが、リモートコントローラ７を筐体１の枠部８に取り付けることにより、顧客５０ａ、ｂ、ｃ自信で操作を行うようにしても良い。この場合のウエイトレスやウエイターの接客内容は、挨拶と顧客を席に誘導するだけで良く、ウエイトレスやウエイターの労力が低減することができる。
メニュー画面４０ａ、ｂ、ｃの配置が決まると、メニュー画面４０ａ、ｂ、ｃはそれぞれ独立して操作が可能であり、第７図（ｂ）で示すようにメニュー画面４０ａ、ｂ、ｃは消え（ステップ１０９）、メニュー画面４０には操作の指示を教えるメッセージ４５と顧客に提供できるメニュー４６が表示される。
メニュー４６が表示された後には、顧客５０ａ、ｂ、ｃは、自分の前に表示されたメニュー４６により、それぞれが独立して、以下の操作により注文を行う。
顧客５０ａ、ｂ、ｃは、頁めくりボタン４１ａ、ｂによりメニュー４６をめくり希望する品を選択する（ステップ１１０〜ステップ１１１）。表示されている頁に注文の品が表示されていないときには、頁めくりボタン４１ａで次の頁を表示させたり、頁めくりボタン４１ｂで前頁を表示させて注文の品を選択する（ステップ１１２）。
注文の品が表示されていれば、注文の品の画像情報を表示している部分に指などでタッチし決定ボタン４２を押す（ステップ１１３）。メニュー４６において、指などでタッチされた画像情報は他のものと区別させるために、斜線あるいは反転情報とか点滅とかの表示がされる。
注文の品が入力されると、決定画面４７に注文した品４８が表示されるので、確認をする（ステップ１１４）。注文の品が異なる場合や変更したい場合には、注文取消しボタン４９を押し、ステップ１１０〜ステップ１１４の動作を行う。
また、ステップ１１０〜ステップ１１２において変更したい場合には、注文取消しボタン４９を押すことにより注文がなされていないことになる。
なお、同じ品を複数注文するときには、ステップ１１３〜ステップ１１４の作業を注文の数だけ行えば良く、異なる品を複数注文するときには、ステップ１１０〜ステップ１１４の作業を繰り返すことで、同時に同じ品を複数個注文したり異なる品を複数注文することができる。
上記の動作により注文の品が決定されると、あらかじめ筐体１に登録されているテーブル番号などの識別情報と共に注文の品が、通信装置３４を介して厨房スペースなどに配置された注文システム３５に伝送され、注文の品のリストが印字されるか、もしくは表示部に表示されて調理の開始を行う。
注文システム３５には、注文リストに合計金額が印刷されたレシートを印字する機能を備えていれば、注文の品が出し終えた後に上記レシートを顧客に提供すれば良い。上記注文システム３５は公知の技術で実現することができる。
顧客が退席した後に、電源ボタン２１を押しプラズマ・ディスプレイ・パネル１４を予熱状態にする。
また、この実施例ではメニュー画面４０を一つ〜４つを同時に表示させ、メニュー４６を一度に４種類の品を表示するとして説明したが、本発明はこれにこだわるものではなく、画像情報のサイズを小さなものとしたり、表示画面２を大きなサイズとすることで、さらに多くの画像情報を表示させても良い。
さらに、図示しないがメニュー４６において注文の品の調理方法や、グラスなどの必要な数を入力させるようにしても良く、この場合には、ウエイトレスやウエイターが席に行かなくても完全な注文を受けることができる。
このことにより、単一の表示画面２に複数の画像情報を表示し、画像情報の向きを変更できるようにしたので、単一の表示装置２を複数の人が囲むように位置した場合においても、それぞれの人に適した向きの画像情報を提供できる。
また、顧客を席に誘導してメニュー画面４０の配置を決定した後は、顧客５０の注文を機械的に受けることができるので、注文を受けに席まで行く必要がなく、ウエイトレスやウエイターの労力が低減できる。一方、顧客５０もウエイトレスやウエイターを呼ぶ必要がないので、煩わしさやいらつきの解消が図られる。
なお、決定画面４７には注文した品４８と確かに注文を請けたメッセージの画像情報とを表示するとして説明したが、本発明はこれにこだわるものではなく、上記注文した品４８とメッセージとの画像情報のほかに、待ち時間の映像サービスとしてお店の紹介や環境映像などのさまざまな画像情報を内部記録装置３１に記憶させて、顧客に提供するようにしても良い。
次に、本発明の第２の実施例について、添付の図面に従って説明する。なお、本発明の第１の実施例で説明した部位と同様な部位については、同一名称および同一符号で示し詳細な説明を省略する。
第８図は、本発明の第２の実施例に係わる表示装置の斜視図である。また、第９図は、本発明の第２の実施例に係わる表示装置の機能構成図である。
第８図〜第９図において、本発明の第２の実施例に係わる表示装置において、筐体８０は表示画面２が露出するように上面部に開口部を有している。
また、筐体８０の側方には、電源スイッチ４と画像情報の入力端子３６とが構成されており、筐体８０の枠部８には入力装置である操作部９ａ〜ｆが構成されている。操作部９ａ〜ｆには、それぞれメニューボタン２７とメニューの決定ボタン２８とカーソル移動ボタン２９とが配置されている。メニューボタン２７とメニューの決定ボタン２８とカーソル移動ボタン２９とは、シート状のタッチボタンで構成されている。
なお、筐体８０には表示装置２や操作部９ａ〜ｆの他に、操作部９ａ〜ｆの指示を受け動作の制御を行う制御部３３と、入力端子３６から入力された画像情報を選択するセレクト機能６０と、２５入力されてくるビデオ信号やＰＣ信号（ＲＧＢ信号）を標準フォーマットに変換し、さらに指示された大きさや位置や角度に加工する映像加工部３８と、複数の画像情報を１つの映像情報に合成する映像合成部３７、と加工され合成された映像情報を記憶する映像メモリー３９と、図示しない電源ユニットとがさらに構成されている。
この実施例は後述するように、表示画面２には、複数の画像情報を表示することが可能であり、各画像情報ごとに表示させる入力された画像情報を選択し、映像加工部３８と映像合成部３７とで指示された大きさや向きに処理をされて、制御部３３を介して映像メモリー３９に、一旦蓄えられてから表示画面２に表示されるものである。
また、セレクト機能６０では、入力端子３６から入力される画像情報の数を６種類として説明しているが、本発明はこれにこだわるものではなく、少なくとも２種類以上を有していると良い。
以上、この実施例の概略を説明したが、次に、この実施例の動作を詳細に説明する。
第１０図は、第８図に示した実施例の操作を示すフローチャートである。また、第１１図は、第１０図で示した電源を投入したときの表示画面の状態を示す一具体例、第１２図は、第１０図で示した画面分割メニューを選択したときの表示画面の状態を示す一具体例、第１３図は、第１０図で示した画面分割数画面を表示画面表示した状態を示す一具体例、第１４（ａ）図は、第１０図で示した画面分割数画面を示す一具体例、第１４（ｂ）図は、第１０図で示した分割レイアウト画面を示す一具体例、第１５図は、画面分割数と分割レイアウトを示す一具体例である。
第１０図〜第１５図において、先ず最初に、電源スイッチ４により電源を投入する（ステップ１２０）。第１１図で示すように、表示装置に電源が投入されても表示画面２には、なにも画像情報は表示されない。使用者は表示画面２を囲むように筐体８０の希望の辺に着席し、枠部８に設けられた複数の操作部９の中から、自分の近くに設けられた操作部９ａ〜ｆ、例えば、操作部９ａに設けられているメニューボタン２７を押すと（ステップ１２１）、操作部９ａの上方の表示画面２にメニュー選択画面６０が縮小されて表示される。
なお、メニュー選択画面６０と後述する画面分割数画面６１と分割レイアウト画面６２とは、シート状のタッチボタンで構成され、メニュー選択画面６０に表示されている画像情報部分を指などで触れると入力の指示ができる。
また、メニューの内容は、画面の分割２００と入力映像の変更と２０１表示の向きの変更２０２と細分割２０３とから構成されている。
メニュー選択画面６０において、画面の分割２００をカーソル移動ボタン２９により指定しメニューの決定ボタン２８を押すと（ステップ１２４）、メニュー選択画面６０は消えて画面分割数画面６１が縮小されて表示される。この画面分割数画面６１は、表示画面２にいくつの画像情報を表示させるかを決定させるものである。
画面分割数画面６１が表示されたら、希望する画面の数を１画面２０４〜６画面２０９にカーソル移動ボタン２９により指定し（ステップ１２５）、メニューの決定ボタン２８を押すと、画面分割数画面６１は消えて分割レイアウト画面６２が縮小されて表示される。
この分割レイアウト画面６２は、指定した画面の分割において、それぞれの画像情報をどのような向きに表示させるのかを決定させるものである。
分割レイアウト画面６２が表示されたら、表示画面２に表示させる画像情報の向きを分割レイアウト２１０〜２１３から選択してカーソル移動ボタン２９により指定し（ステップ１２６）、メニューの決定ボタン２８を押すと、表示画面２の表示範囲ａ一杯に指定した分割画面で、指定した画像情報の向きで画像情報が表示される。
なお、このときの表示される画像情報は、映像入力端子３６の入力（１）が優先されて表示される。また、ここまでの動作は操作部９ａ〜ｆのどの操作部であっても指示が可能であるが、最初に指示をした操作部９ａ〜ｆが優先し、他の操作部９ａ〜ｆは操作を行うことができない。
メニュー選択画面６０において、画面の分割が決定された後は、入力映像の変更２０１と表示の向きの変更２０２と細分割２０３は、操作部９ａ〜ｆのどの操作部であっても、また、同時であっても操作を行うことが可能である。
この実施例の画面の分割と分割画面のレイアウトを４分割として説明したが、第１５（ａ）図の１画面での分割レイアウト画面と、第１５（ｂ）図の２画面での分割レイアウト画面と、第１５（ｃ）図の３画面での分割レイアウト画面と、第１５（ｄ）図の４画面での分割レイアウト画面と、第１５（ｅ）図の５画面での分割レイアウト画面と、第１５（ｆ）図の６画面での分割レイアウト画面とで示した分割レイアウト画面を提供することができ、上記第１５（ａ）図〜第１５（ｆ）図の選択はステップ１２５〜ステップ１２７で行うことができる。
次に、メニュー選択画面６０における、入力映像の変更を行う操作の仕方について説明する。
第１６図は、第８図に示した実施例の入力映像の変更の操作を示すフローチャートである。また、第１７図は、第１６図で示した入力選択画面を示す一具体例であり、第１８図は、第１６図で示した入力映像の変更の操作を行った状態を示す一具体例である。
第１６図〜第１８図において、メニュー選択画面６０で入力画像情報の変更２０１をカーソル移動ボタン２９により指定しメニューの決定ボタン２８を押すと（ステップ１３１）、メニュー選択画面６０は消えて入力画像情報の選択画面６３が表示される（ステップ１３２）。
このとき、現在表示されている入力画像情報は、電源４を押してから入力画像情報の変更を指示しない限り、映像入力端子３６の入力（１）から入力された画像情報が常に表示されている。入力画像情報の選択画面６３には入力されている映像情報の種類名２１４〜２１７が表示されており、現在表示されている画像情報の種類名の部分が明きらからとなるように、斜線あるいは反転情報とか点滅とかの表示がなされる。
なお、第１７図では、入力画像情報が４種類でＰＣ（１）２１４とＰＣ（２）２１５とＶＴＲ２１６とＤＶＤ２１７として説明してあるが、本発明はこれにこだわるものではなく、他の画像情報であっても良い。
ここで、入力画像情報の選択画面６３が表示されたら、表示画面２に表示させる入力画像情報の種類名２１４〜２１７をカーソル移動ボタン２９により指定し（ステップ１３３）、メニューの決定ボタン２８を押すと入力画像情報の選択画面６３が消えて指定した画像情報が表示される（ステップ１３４）。
また、ステップ１３１〜１３４の操作は、同時に複数の操作部９から行うことができ、他の画像情報画面はなんら制約を受けることがない。操作を行っていない他の画像情報は、映像入力端子３６の入力（１）から入力された画像情報が表示されている。
次に、メニュー選択画面６０における、表示の向きの変更２０２を行う操作の仕方について説明する。この表示の向きの変更は、自分が使用している画像情報の表示の向きを変更させるものである。
第１９図は、第８図に示した実施例の表示の向きの変更の操作を示すフローチャートである。また、第２０図は、第１９図で示した表示の向きの変更選択画面を示す一具体例であり、第２１図は、第１９図で示した表示の向きの変更の操作を行った状態を示す一具体例である。
第１９図〜第２１図において、メニュー選択画面６０で表示方向変更２０２をカーソル移動ボタン２９により指定しメニューの決定ボタン２８を押すと（ステップ１３５）、メニュー選択画面６０は消えて画面表示変更選択画面６５が表示される（ステップ１３６）。
このとき、現在表示されている画面表示方向画面は、既に設定されている画面分割と分割レイアウトが表示されるが、現在の画面表示方向が明きらからとなるように、斜線あるいは反転情報とか点滅とかの表示がなされる。
ここで、画面表示変更選択画面６５が表示されたら、現在の画像情報の向き２１８を変更をしたい向き２１９〜２２１から選び、カーソル移動ボタン２９により指定すると（ステップ１３７）、現在の画像情報の向き２１８は、通常の表示に変更され、変更した向き２１９〜２２１が斜線あるいは反転情報とか点滅とかの表示がなされる。変更した表示方向の内容を確認してメニューの決定ボタン２８を押すと画面表示変更選択画面６５が消えて指定した画像情報が表示される（ステップ１３８）。
なお、画面表示変更選択画面６５は、使用している画面分割とレイアウトが表示されるので、第２０図で説明した画面分割とレイアウトであっても、ステップ１３６〜１３８で行うことができる。
また、ステップ１３５〜１３８の操作は、同時に複数の操作部９から行うことができ、他の画像情報画面はなんら制約を受けることがない。
このことにより、同時に同じ表示装置を使用している他の人に対して、容易に自分の画像情報を正対する状態で表示させることができるので、一つの画像情報を共有化して使用することができる。
次に、メニュー選択画面６０における、細分割２０３を行う操作の仕方について説明する。ここ細分割２０３は、自分が使用している画像情報の表示の分割を細分割させるものである。
第２２図は、第８図に示した実施例の細分割をするの操作を示すフローチャートである。また、第２３図は、第２２図で示した画面細分割選択画面を示す一具体例、第２４図は、第２２図で示した細分割の数と分割レイアウトを示す一具体例、第２５図は、第２２図で示した細分割の操作を行った状態を示す一具体例である。
第２２図〜第２４図において、メニュー選択画面６０で細分割をする２０３をカーソル移動ボタン２９により指定しメニューの決定ボタン２８を押すと（ステップ１４３）、メニュー選択画面６０は消えて画面細分割選択画面６９が表示される（ステップ１４４）。
このとき、画面細分割選択画面６９には、１画面分割２２２〜全入力数２２６までが表示されるが、現在の画面分割数が明きらからとなるように、斜線あるいは反転情報とか点滅とかの表示がなされる。
ここで、画面細分割選択画面６９が表示されたら、変更をしたい画面分割数２２２３〜２２６から選び、カーソル移動ボタン２９により指定しメニューの決定ボタン２８を押すと（ステップ１４５）、細分割レイアウト画面７１が表示されるので、細分割レイアウトをカーソル移動ボタン２９により指定しメニューの決定ボタン２８を押すと（ステップ１４６）、細分割レイアウト画面７１が消えて指定した分割レイアウトにより画像情報が表示される（ステップ１４７）。
第２４図では、細分割レイアウト画面を２分割で左右および上下の方向で表示するとして説明したが、図示しないが、１分割２２２〜全入力数２２６においての細分割レイアウトは、どの分割画面も操作を行った操作部９ａ〜ｆに対して、正対する方向である左右および上下の方向に表示された細分割レイアウト画面が表示される。
また、ステップ１４４〜１４７の操作は、同時に複数の操作部９から行うことができ、他の画像情報画面はなんら制約を受けることがない。
この細分割画面においても、上記ステップ１３１〜１３４および上記ステップ１３５〜１３８の操作が可能であり、次に、細分割画面での入力映像の変更と表示の向きの変更について説明する。
第２６図は、細分割画面での入力映像の変更選択画面である。また、第２７図は、細分割画面での画面表示変更選択画面である。
第２６図において、画像情報の細分割を決定した後に、上記ステップ１３１〜１３４の操作において、上記ステップ１３３で細分割画面のどの画面にどの入力映像を表示させるかを決定させる操作を追加することで、細分割画面に単一の入力映像やあるいは複数の入力映像を表示させることができる。入力映像の選択と決定はカーソル移動ボタン２９とメニューの決定ボタン２８とで行う。
第２７図において、表示の向きの変更についても上記ステップ１３５〜１３８の操作において、上記ステップ１３７でそれぞれの細分割画面をどの方向に表示させるかを決定させる操作を追加することで、各細分割画面を使用するのに適した方向に表示させることができる。
このことにより、同時に同じ表示装置を使用している他の邪魔をすることなく、容易に自分の細分割させた画像情報に必要な画像情報を表示させることができるので、同時に複数の人が正対する状態で表示された画像情報を共有化して使用することができる。
さらに、複数の人たちが参加して行われる打合せや会議や商談などにおいて、あたかも紙などに出力された情報を基に、情報を手元において打合せなどをしている状態が提供することができるので、使用者にとって安心感を与えると共に、従来の紙などの情報と異なり、使用中に順序が乱雑になったりすることもなく、打合せなどがスムーズに進行できる。
なお、入力端子３６に接続されたパーソナル・コンピュータ（ＰＣ）を利用して、表示されている画像情報画面に情報を追加、訂正、削除を行うようにしても良い。
また、図示しない出力端子を構成することにより、画像情報画面を表示させ作業を行った後に、プリンタや入力端子で接続されているＰＣや他のＰＣなどに出力させて、画像情報画面を取り出せたり、記録を残せるようにしても良い。
次に、本発明の第３の実施例について、添付の図面に従って説明する。なお、本発明の第１の実施例で説明した部位と同様な部位については、同一名称および同一符号で示し詳細の説明を省略する。
第２８図は、本発明の第３の実施例に係わる表示装置の斜視図である。また、第２９図は、本発明の第３の実施例に係わる表示装置の機能構成図である。
第２８図〜第２９図において、本発明の第３の実施例に係わる表示装置において、筐体９０は表示画面２が露出するように上面部に開口部を有している。
また、筐体９０の側方には、電源スイッチ４と画像情報の入力端子３６とが構成されており、筐体９０の枠部８には入力装置である操作部９１ａ〜ｆが構成されている。操作部９１ａ〜ｆには、それぞれ画像情報ＯＮボタン９２と画像情報ＯＦＦボタン９３と入力映像変更ボタン９４とが配置されている。画像情報ＯＮボタン９２と画像情報ＯＦＦボタン９３と入力映像変更ボタン９４とは、シート状のタッチボタンで構成されている。
なお、筐体９０には表示装置２や操作部９１ａ〜ｆの他に、操作部９１ａ〜ｆの指示を受け動作の制御を行う制御部３３と、入力端子３６から入力された画像情報を選択するセレクト機能６０と、入力されてくるビデオ信号やＰＣ信号（ＲＧＢ信号）を標準フォーマットに変換し、さらに指示された大きさや位置や角度に加工する映像加工部３８と、複数の画像情報を１つの画像情報に合成する映像合成部３７と、加工され合成された画像情報を記憶する映像メモリー３９と、図示しない電源ユニットとがさらに構成されている。
この実施例は後述するように、表示画面２には、複数の画像情報を表示することが可能であり、各画像情報ごとに表示させる入力された画像情報を選択し、映像加工部３８と映像合成部３７とで指示された大きさや向きに処理をされて、制御部３３を介して映像メモリー３９に、一旦蓄えられてから表示画面２に表示されるものである。
以上、この実施例の概略を説明したが、次に、この実施例の動作を詳細に説明する。
第３０図は、第２８図に示した実施例の操作を示すフローチャートである。また、第３１図は、一人で操作を行う状態を示した一具体例、第３２図は、二人で操作を行う状態を示した一具体例、第３３図は、三人および四人で操作を行う状態を示した一具体例、第３４図は、一人で操作した状態の画面分割と画像情報の向きを示した一具体例、第３５図は、二人で操作した状態の画面分割と画像情報の向きを示した一具体例、第３６図は、三人で操作した状態の画面分割と画像情報の向きを示した一具体例、第３７図は、四人で操作した状態の画面分割と画像情報の向きを示した一具体例、第３８図は、五人で操作した状態の画面分割と画像情報の向きを示した一具体例、第３９図は、六人で操作した状態の画面分割と画像情報の向きを示した一具体例である。
第３０図〜第３９図において、電源スイッチ４を押し筐体９０に電源を投入する（ステップ２００）。操作部９１ａ〜ｆの中から、使用者が位置した場所の近くのに配置された操作部９１ａ〜ｆに構成された画像情報ＯＮボタン９２を押すと（ステップ２０１）、押された画像情報ＯＮボタン９２に正対する位置に入力（１）からの画像情報が自動的に表示される（ステップ２０２）。
第３１図（ａ）で示すように操作部９１ａを押すと、操作部９１ａに正対するように画像情報が表示されるが、操作部９１ａに代わり操作部９１ｂを操作しても同じ状態で表示される。また、図示しないが、操作部９１ｄ、ｅを操作した場合には、画像情報は操作部９１ｄ、ｅに正対するように表示される。
表示されている表示画面を終了するときには、画像情報ＯＦＦボタン９３を押すと（ステップ２０３）、押された画像情報ＯＦＦボタン９３に正対する位置に表示された画像情報が消える（ステップ２０４）。
このステップ２０４の指示は、筐体９０に図示しない出力端子を構成され、プリンタやＰＣに画像情報画面に表示されている情報を記録してから行うようにしても良い。
画像情報を表示させているときに、入力映像の変更を行う必要があれば、入力映像変更ボタン９４を押すと（ステップ２０５）、画像情報が切り替わる（ステップ２０６）。第３１図（ｂ）で示すように、この入力映像の変更は、入力映像変更ボタン９４を押す度に入力（１）〜（６）が順次切り替わるものである。
次に、複数の使用者が同時に本発明を使用する場合の具体的使用例を説明する。
第３２図では二人の使用者が同時に使用している例を示しているが、操作部９１ａを操作した人に対しては、操作部９１ａに正対した画像情報画面２４０が表示され、操作部９１ｄを操作した人に対しては、操作部９１ｄに正対した画像情報画面２４１が表示される。
また、画像情報画面２４１の画像情報を切り替えるときは、上記ステップ２０５〜２０６により行うことができる。この画像情報の切り替えの操作は、操作部９１ａが行うことも操作部９１ａ、ｂが同時に行うこともできる。
さらに、操作部９１ａに代えて操作部９１ｂを操作しても画像情報画面２４０は表示され、操作部９１ｄに代えて操作部９１ｅを操作しても画像情報画面２４１は表示される。
第３３図では三人の使用者が同時に使用している例を示しているが、操作部９１ａを操作した人に対しては、操作部９１ａに正対した画像情報画面２４０が表示され、操作部９１ｄを操作した人に対しては、操作部９１ｄに正対した画像情報画面２４１が表示され、操作部９１ｃを操作した人に対しては、操作部９１ｃに正対した画像情報画面２４２が表示される。
ここで、使用者が一人増えた場合には、操作部９１ｂを操作すると画像情報画面２４３が表示されるが、その際に画像情報画面２４２は縮小された画像情報となる。
ここでまた、操作部９１ｃを操作していた使用者が画像情報ＯＦＦボタン９３を押し終了させた場合には、画像情報画面２４２消えて、その場所に画像情報画面２４１が表示され、四人で使用していたときに画像情報画面２４１が表示されていた場所は、画像情報が表示されない。第３３図（ｄ）で示すように、操作部９１ｅもしくは図示しないが操作部９１ｆの操作に備えるものである。
次に、操作部９１を操作したときの画像情報の分割とレイアウトについて説明する。
第３４図では一人の使用者が同時に使用している例を示しているが、操作部９１ａおよび操作部９１ｂを操作した人に対しては、操作部９１ａおよび操作部９１ｂに正対した画像情報が表示され、操作部９１ｄおよび操作部９１ｅを操作した人に対しては、操作部９１ｄおよび操作部９１ｅに正対した画像情報が表示され、操作部９１ｃを操作した人に対しては、表示画面２の左側に操作部９１ｃに正対する向きに画像情報が表示され、操作部９１ｆを操作した人に対しては、表示画面２の右側に操作部９１ｆに正対する向きに画像情報が表示される。
第３５（ａ）〜（ｇ）図は二人の使用者が同時に使用している例を示しているが、二人の人が異なる操作部９１を操作すると、表示画面２を二つに分割して二つの画像情報を表示する。即ち、複数の操作部を使用すると使用した操作部の数と同一の画像情報が表示されるものである。
二人の人が操作部９１ａおよび操作部９１ｂを操作した場合には、操作部９１ａおよび操作部９１ｂにそれぞれ正対した画像情報が表示されるが、図示しないが、操作部９１ｄおよび操作部９１ｅを操作した場合には、操作部９１ｄおよび操作部９１ｅにそれぞれ正対した画像情報が表示される。
また、他の使用者が操作部９１ａを操作したときには、操作部９１ａに正対した画像情報２４０が表示され、他の使用者が操作部９１ｄを操作したときには、操作部９１ｄに正対した画像情報２４１が表示される。
なお、操作部９１ａの操作に代わり操作部９１ｂを操作したときのも、操作部９１ａに正対した画像情報２４０が表示され、操作部９１ｄの操作に代わり操作部９１ｅを操作したときには、操作部９１ｄに正対した画像情報２４１が表示される。
また、他の使用者が操作部９１ａを操作したときには、操作部９１ａに正対した画像情報画面２４０が表示され、他の使用者が操作部９１ｃを操作したときには、操作部９１ｃに正対した画像情報画面２４１が表示されるが、他の使用者が操作部９１ｆを操作したときには、操作部９１ａに正対するのは画像情報画面２４１となり、操作部９１ｃに正対するのは画像情報画面２４０となるように表示される。
また、他の使用者が操作部９１ｃを操作したときには、操作部９１ｃに正対した画像情報画面２４１が表示され、他の使用者が操作部９１ｆを操作したときには、操作部９１ｆに正対した画像情報画面２４０が表示される。
第３６（ａ）〜（ｎ）図は三人の使用者が同時に使用している例を示している。
三人の人が操作部９１ａと操作部９１ｃと操作部９１ｅとを操作した場合には、操作部９１ａに正対するように画像情報画面２４０が表示され、操作部９１ｃに正対するように画像情報画面２４１が表示され、操作部９１ｅに正対するように画像情報画面２４２が表示される。
また、操作部９１ａと操作部９１ｂと操作部９１ｅとを操作した場合には、表示画面２は四分割され画像情報画面２４３には画像情報がなにも表示されない。上記操作において、操作部９１ｅに代えて操作部９１ｄを操作すると、画像情報画面２４２には画像情報がなにも表示されない。
また、操作部９１ａと操作部９１ｂと操作部９１ｆとを操作した場合には、表示画面２は四分割され画像情報画面２４３には画像情報がなにも表示されず、操作部９１ｆに代えて操作部９１ｃを操作すると、画像情報画面２４２には画像情報がなにも表示されない。
また、操作部９１ａと操作部９１ｄと操作部９１ｅとを操作した場合には、表示画面２は四分割され画像情報画面２４１には画像情報がなにも表示されず、操作部９１ａに代えて操作部９１ｂを操作すると、画像情報画面２４０には画像情報がなにも表示されない。
また、操作部９１ｃおよび操作部９１ｆを操作すると、画像情報画面は、操作部９１ａから見て縦長のワイド画面として表示される。
第３７（ａ）〜（ｆ）図は四人の使用者が同時に使用している例を示している。
四人の人が操作部９１ａと操作部９１ｂと操作部９１ｄと操作部９１ｅとを操作した場合には、操作部９１ａに正対するように画像情報画面２４０が表示され、操作部９１ｂに正対するように画像情報画面２４１が表示され、操作部９１ｄに正対するように画像情報画面２４３が表示され、操作部９１ｅに正対するように画像情報画面２４２が表示される。
このように、四人で使用する場合には操作した操作部９１ａ〜ｆと正対するように画面情報表示をそれぞれ当分に分割して表示させるが、操作部９１ｃと操作部９１ｆとを操作すると、画像情報画面２４１および画像情報画面２４２はワイド画面として表示させ、画像情報画面２４０および画像情報画面２４３は縦横の比率が接近した画面として表示することになる。
第３８（ａ）〜（ｆ）図は五人の使用者が同時に使用している例を示している。
五人の人が操作部９１ａと操作部９１ｂと操作部９１ｃと操作部９１ｄと操作部９１ｅとを操作した場合には、操作部９１ａに正対するように画像情報画面２４０が表示され、操作部９１ｂに正対するように画像情報画面２４１が表示され、操作部９１ｃに正対するように画像情報画面２４４が表示され、操作部９１ｄに正対するように画像情報画面２４３が表示され、操作部９１ｅ正対するように画像情報画面２４２が表示される。
操作部９１ａと操作部９１ｂと操作部９１ｄと操作部９１ｅと、その他に、操作部９１ｃもしくは操作部９１ｆを操作したときには、画像情報画面２４４もしくは画像情報画面２４０がワイド画面として表示される。
また、操作部９１ｄと操作部９１ｅと操作部９１ｃと操作部９１ｆと、その他に、操作部９１ａもしくは操作部９１ｂを操作したときには、画像情報画面２４０と画像情報画面２４１と画像情報画面２４４は縦横の比率が略同じとなる画面として表示される。
また、操作部９１ａと操作部９１ｂと操作部９１ｃと操作部９１ｆと、その他に、操作部９１ｄもしくは操作部９１ｅを操作したときには、画像情報画面２４４と画像情報画面２４３と画像情報画面２４２は縦横の比率が略同じとなる画面として表示される。
この実施例によれば、単一の表示装置を使用者の人数にあわせて画像情報画面の数と、表示サイズを容易に変更することができ、常に、使用人数に適した最適な画像情報画面を提供することができるので、上記単一の表示装置を一人の使用者が独占することがない。
また、他の使用者が使っている画像情報を他の使用者も使うことができるので、情報の共有化が図れる。
さらには、画像情報画面の分割とレイアウトの指定により、表示画面２をワイド画面と標準画面の両方を表示できるので、画像情報の種類にあわせ良好な画面サイズを選択することができる。
なお、この実施例に、本発明の第２の実施例で説明した、画像情報画面の向きの変更をさせる機能をさらに構成させても良く、その場合には、自分の情報を他の使用者に提示することができるので、さらに情報の共有化が図れる。
次に、本発明の第４の実施例について、添付の図面に従って説明する。なお、本発明の第１の実施例で説明した部位と同様な部位については、同一名称および同一符号で示し詳細な説明を省略する。
第４０図は、本発明の第４の実施例に係わる表示装置の斜視図である。また、第４１図は、本発明の第４の実施例に係わる表示装置の機能構成図である。
第４０図〜第４１図において、本発明の第４の実施例に係わる表示装置において、筐体９５は表示画面２が露出するように上面部に開口部を有している。
また、筐体９５の側方には、電源スイッチ４と画像情報の入力端子３６とが構成されており、筐体９５の枠部８には入力装置である操作部３００ａ〜ｄが構成されている。操作部３００ａ〜ｄは、シート状のタッチボタンで構成されている。
なお、操作部３００ａ〜ｄは、操作部３００ａを押すと操作部３００ａに正対する向きに画像情報画面（ウインドウ）を表示させ、操作部３００ｂを押すと操作部３００ｂに正対する向きにウインドウを表示させるように構成されており、最大四つのウインドウを指示した操作部３００ａ〜ｄにそれぞれ正対する向きで表示されることが出来る。
なお、筐体９５には表示装置２や操作部３００ａ〜ｄの他に、操作部３００ａ〜ｄの指示を受け動作の制御を行う制御部３３と、入力端子３６から入力された画像情報を選択するセレクト機能６０と、入力されてくるビデオ信号やＰＣ信号（ＲＧＢ信号）１５を標準フォーマットに変換し、さらに指示された大きさや位置や角度に加工する映像加工部３８と、複数の画像情報を１つの画像情報に合成する映像合成部３７と加工され合成された画像情報を記憶する映像メモリー３９と図示しない電源ユニットとがさらに構成されている。
以上、この実施例の概略を説明したが、次に、この実施例の動作を詳細に説明する。
第４２図は、第４０図に示した実施例の操作を示すフローチャートである。また、第４３図は、表示画面に表示される画像情報の詳細図、第４４図は、第４２図における電源入りから画像情報の縮小までの操作にともなう画像情報画面を示した一具体例、第４５図は、第４２図における画像情報の回転から新規ウインドウを開くまでの操作にともなう画像情報を示した一具体例、第４６図は、第４２図における他の画像情報画面を示した一具体的である。
このウインドウは第４３図に示したように、ウインドウ上方枠３５０を有しており、ウインドウ上方枠３５０にはウインドウの向きを指示する画面方向変更ボタン３５４ｂと、表示させる入力画像情報を切り替える切り替えボタン３５５と、ウインドウ一杯に表示される表示サイズ拡大ボタン３５８と、表示されているウインドウを消す消去ボタン３５９とが構成されている。
また、ウインドウはウインドウ下方枠３５３をさらに有しており、ウインドウ下方枠３５３にはウインドウの向きを２５指示する画面方向変更ボタン３５４ｄと、表示されているウインドウを回転させるボタン３５６と、表示されているウインドウを拡大および縮小する表示サイズ変更ボタン３５７が構成されている。
また、ウインドウはウインドウ右方枠３５２とウインドウ左方枠３５１とをさらに有しており、ウインドウ右方枠３５２にはウインドウの向きを指示する画面方向変更ボタン３５４ｃを、ウインドウ左方枠３５１にはウインドウの向きを指示する画面方向変更ボタン３５４ａをそれぞれ構成されている。
上記ウインドウに構成されたボタンは、すべてシート状のタッチボタンで構成されており、指などで指示することで操作の指示が可能である。
第４２図〜第４５図において、電源スイッチ４を押し筐体９５に電源を投入する（ステップ３１０）。操作部３００ａ〜ｄの中から、使用者が位置した場所の近くに配置された操作部３００ａ〜ｄを押すと、押された操作部３００ａ〜ｄに正対する位置に入力（１）からの画像情報が自動的に表示される（ステップ３１１）。表示されたウインドウの情報の種類名が明記された切り替えボタン３５５の希望する画像情報名を押すと、ウインドウは指示した画像情報が表示される（ステップ３１２）。
表示されたウインドウの表示サイズを変更するときは、表示サイズ変更ボタン３５７を押すと予め設定されている表示サイズに変更され、表示サイズ拡大ボタン３５８を押すと予め設定されている表示画面一杯に表示され、画面方向変更ボタン３５４ａ〜ｄを押すと指示した画面方向変更ボタン３５４ａ〜ｄが上方となるように、ウインドウの向きが変更される（ステップ３１３）。
さらに他のウインドウを表示させるときは、現在表示の指示を行ている以外の操作部３００ａ〜ｄを押すと指示をした操作部３００ａ〜ｄと正対する向きに他のウインドウが表示される（ステップ３１４）。
このあらたに表示された他のウインドウも上記画面方向変更ボタン３５４ａ〜ｄと切り替えボタン３５５とウインドウを回転させるボタン３５６と表示サイズ変更ボタン３５７と表示サイズ拡大ボタン３５８とを構成しており、上記ステップ３１１〜３１３を操作することで、ウインドウの表示サイズの変更や向きの変更や入力画像情報の変更ができる（ステップ３１５〜３１６）。
なお、第４５図にウインドウの他の実施例を示すが、表示画面に操作を指示する操作部配置し、表示されるウインドウには、画像情報とともに入力画像情報の種類名が表示されている。
先ず、ウインドウを表示させ、新規ボタン３６０で画像情報を呼出し、新規で画像情報を呼び出した時には、常に入力端子３６の入力（１）が表示される。
表示されているウインドウの入力画像情報の種類名が表示されている上方枠をタッチし、指示を行うウインドウを決定する。その後、画面の向きを変更する表示方向ボタン３６１と、ウインドウを回転させる表示角度ボタン３６２と、表示サイズの拡大縮小を行う拡大縮小ボタン３６３と、入力切り替えボタン３６４と、ウインドウを消去する消去ボタン３６５とを指などでタッチして操作の指示を行う。
このことにより、回転や移動やサイズの変更などの変化をするウインドウに操作の指示を行う部分を有していないので、ウインドウが複数個表示されていても、上記操作の指示を行う操作部は常に露出されているので、操作の誤りが防止でき速やかな操作の指示を行うことができる。
以上、本発明を複数の実施例により説明したが、本発明によれば、単一の表示装置を表示画面が略上向きとなる平置き型として構成し、上記表示装置を囲むようにして使用させたときにおいても、画像情報画面の向きを使用者に正対するように予め表示させるように構成している。
また、画像情報画面の向きを決定した後においても、画像情報の画面数や向きを変更できるように構成したので、使用者の増減にあわせて常に最適な画像情報画面の画面数とその向きや表示サイズを提供できる。
このことから、単一の表示装置を複数の人が同時に使用することができ、装置の共有化や情報の共有化が図れる。
なお、本発明の実施例では、表示画面をプラズマ・ディスプレイ・パネルとして説明したが、本発明はこれにこだわるものではなく、液晶ディスプレイで構成しても良い。
【図１】
0003840266.tif 000002
【図２】
0003840266.tif 000003
【図３】
0003840266.tif 000004
【図４】
0003840266.tif 000005
【図５】
0003840266.tif 000006
【図６】
0003840266.tif 000007
【図７】
0003840266.tif 000008
【図８】
0003840266.tif 000009
【図９】
0003840266.tif 000010
【図１０】
0003840266.tif 000011
【図１１】
0003840266.tif 000012
【図１２】
0003840266.tif 000013
【図１３】
0003840266.tif 000014
【図１４】
0003840266.tif 000015
【図１５】
0003840266.tif 000016
【図１６】
0003840266.tif 000017
【図１７】
0003840266.tif 000018
【図１８】
0003840266.tif 000019
【図１９】
0003840266.tif 000020
【図２０】
0003840266.tif 000021
【図２１】
0003840266.tif 000022
【図２２】
0003840266.tif 000023
【図２３】
0003840266.tif 000024
【図２４】
0003840266.tif 000025
【図２５】
0003840266.tif 000026
【図２６】
0003840266.tif 000027
【図２７】
0003840266.tif 000028
【図２８】
0003840266.tif 000029
【図２９】
0003840266.tif 000030
【図３０】
0003840266.tif 000031
【図３１】
0003840266.tif 000032
【図３２】
0003840266.tif 000033
【図３３】
0003840266.tif 000034
【図３４】
0003840266.tif 000035
【図３５】
0003840266.tif 000036
【図３６】
0003840266.tif 000037
【図３７】
0003840266.tif 000038
【図３８】
0003840266.tif 000039
【図３９】
0003840266.tif 000040
【図４０】
0003840266.tif 000041
【図４１】
0003840266.tif 000042
【図４２】
0003840266.tif 000043
【図４３】
0003840266.tif 000044
【図４４】
0003840266.tif 000045
【図４５】
0003840266.tif 000046
【図４６】
0003840266.tif 000047